(57)【要約】      （修正有）【課題】嵩張らないように段ボール紙として保管され、これを包装用の備品として折り上げた緩衝部材であって、ガラス或いは精密部品を内蔵するデジタルカメラ等製品を収納可能であり、かつ、製品を落下或いは外部からの衝撃による損傷から護るために、緩衝性に優れた緩衝部材を提供する。【解決手段】略長方形の一枚の段ボールから折り上げられた緩衝部材６００Ａであって、中央に主体部４００Ａ及びこの周囲に付属部５００Ａが夫々形成され、主体部は略箱形状の凹んだ空間を有し、かつ、この主体部の周囲は重ね折りした二重の側壁が四方向に立設され、この外側壁３Ａの下方先端は底辺を形成するとともに、四方の内側壁５Ａの中間高さから夫々内側へ直角に折り曲げられて矩形状の底面７Ａが形成される。【選択図】図５
2010095260.tif 000002
【特許請求の範囲】
【請求項１】
略長方形の一枚の段ボールから折り上げられた緩衝部材であって、
中央に主体部及びこの周囲に付属部が夫々形成され、
前記主体部は略箱形状の凹んだ空間を有し、
かつ、この主体部の周囲は重ね折りした二重の側壁が四方に立設され、
この外側壁の下方先端は底辺を形成するとともに、
四方の内側壁の中間高さから夫々内側へ直角に折り曲げられて矩形状の底面が形成されることを特徴とする緩衝部材。
【請求項２】
略長方形の一枚の段ボールから折り上げられた緩衝部材であって、
中央に主体部及びこの周囲に付属部が夫々形成され、
前記主体部は略箱形状の凹んだ空間を有し、
かつ、この主体部の周囲は重ね折りした二重の側壁が四方に立設され、
この外側壁の下方先端は底辺を形成するとともに、
四方の内側壁の中間高さから夫々内側へ直角に折り曲げられて矩形状の底面が形成され、
かつ、内側壁の一部が前記底面を貫通して脚部が形成されることを特徴とする緩衝部材。
【請求項３】
左右外側壁の下辺に左右の付属底面を連設するとともに、
これらの付属底面は、前記外側壁の下辺から夫々直角に折れ曲がって左右へ延び、
かつ、前記左右の付属底面の夫々先端辺が外箱側壁の内壁面に当接することを特徴とする請求項１又は２記載の緩衝部材。
【発明の詳細な説明】
【技術分野】
【０００１】
この発明は、製品本体と付属品を夫々別個に収納するための収納部を段ボール紙から形成し、かつ、製品本体を収納する部位に緩衝機能を持たせた包装用の部材に関する。詳しくは、デジタルカメラ、デジタルビデオカメラ等電子機器の製品本体及び付属品を包装するために複数の収納部を段ボール紙から形成し、かつ、外部からの衝撃に対して製品本体を損傷から保護するようにした緩衝性に優れた包装用の部材に関する。
【背景技術】
【０００２】
精密部品或いはガラス部品を内蔵するデジタルカメラ、デジタルビデオカメラ等電子機器は、落下或いは、外部からの衝撃に対して破損し易いので、これらの本体を緩衝材で包み、その周りに付属品及び取り扱い説明書等を包装することが行われている。例えば、デジタルカメラを包装する例を図２５に示す。カメラ本体及び付属品を収納する部材はパルプから一体成形された凹みを有するパルプモールドの緩衝部材６０１を使用する。左側の凹みはデジタルカメラ本体を収納する主体部４０１であり、右側の凹みは付属品を収納する付属部５０１である。このパルプモールドからなる緩衝部材６０１は、パルプから製作されているために緩衝機能が高く、外部からの衝撃からデジタルカメラを護ることができる。しかしながら、成形するには専用の金型を必要とするので包装費用が嵩むし、段ボール製の外箱８０１とは材質が異なるので、リサイクルする場合分別が必要になる。また、緩衝部材６０１は、凹みを有する立体品なので高さがあり、包装部材として保管するためには所定のスペースを必要とする。次に、デジタルビデオカメラを包装する緩衝部材の例として、図２６、２７に示す。緩衝部材６０２は一枚の段ボール紙から、中央部に直方体状の凹みを有し、この四方の側壁の下方に夫々脚部７０１を備える。中央の凹みは、デジタルビデオカメラ本体を収納する主体部４０１であり、これを取り囲む側壁の外側に付属部が形成される。この緩衝部材６０２は、図示しない外箱によってそっくり包まれ、緩衝部材６０２と外箱との間の空間に三箇所の付属部５０１が形成される。この緩衝部材６０２にデジタルビデオカメラ本体を収納し、その重量を４本の脚部７０１によって支持する構造である。そして、図２７に緩衝部材６０２の底の裏側から見た状態を示すように、４本の脚部７０１が外箱の底面に剛体として突っ立つような構造である。このため、落下或いは外部からの衝撃がもろに脚部に伝わるので、緩衝性に性に乏しい。落下或いは外部からの衝撃に対してデジタルビデオカメラ本体を損傷から護ることができない。
【０００３】
その他、カメラの段ボール包装箱については、運搬と保管時に包装するのに好適な緩衝部材を一体成型した考案が先に提案されている（特許文献１）。
【０００４】
【特許文献１】実用登録第３００９９５８号公報
【発明の開示】
【発明が解決しようとする課題】
【０００５】
デジタルカメラ、デジタルビデオカメラ等電子機器のように、精密機器或いはガラス部材から構成される製品の包装に関しては、以下に示すように問題を抱えている。
【０００６】
即ち、従来の段ボール包装箱の問題点の第一は、製品本体を収納する緩衝部材が、外箱と材質が異なるのでリサイクルの際分別が必要となる。段ボールとパルプと包装用部材の調達品が二材質、調達先が分かれ管理が面倒になる。パルプモールドは凹みを有する立体品なので、保管用のスペースを必要とする。
【０００７】
問題点の第二に、製品本体に対する落下或いは外部からの衝撃に対して弱く緩衝性に乏しく製品本体が輸送の途中で破損する恐れがある。
【０００８】
そこで、本発明は上記事情に鑑みて、嵩張らないように段ボール紙として保管され、これを包装用の備品として折り上げた緩衝部材であって、ガラス或いは精密部品を内蔵するデジタルカメラ等製品を収納可能であり、かつ、製品を落下或いは外部からの衝撃による損傷から護るために、緩衝性に優れた緩衝部材を提供することを目的とする。
【課題を解決するための手段】
【０００９】
上記目的を達成するために、請求項１の発明は、略長方形の一枚の段ボールから折り上げられた緩衝部材であって、中央に主体部及びこの周囲に付属部が夫々形成され、前記主体部は略箱形状の凹んだ空間を有し、かつ、この主体部の周囲は重ね折りした二重の側壁が四方に立設され、この外側壁の下方先端は底辺を形成するとともに、四方の内側壁の中間高さから夫々内側へ直角に折り曲げられて矩形状の底面が形成されることを特徴とする。請求項２の発明は、略長方形の一枚の段ボールから折り上げられた緩衝部材であって、中央に主体部及びこの周囲に付属部が夫々形成され、前記主体部は略箱形状の凹んだ空間を有し、かつ、この主体部の周囲は重ね折りした二重の側壁が四方に立設され、この外側壁の下方先端は底辺を形成するとともに、四方の内側壁の中間高さから夫々内側へ直角に折り曲げられて矩形状の底面が形成され、かつ、内側壁の一部が底面を貫通して脚部が形成されることを特徴とする。請求項３の発明は、請求項１又は２の上記特徴に加えて、左右外側壁の下辺に左右の付属底面を連設するとともに、これらの付属底面は、前記外側壁の下辺から夫々直角に折れ曲がって左右へ延び、かつ、前記左右の付属底面の夫々先端辺が外箱側壁の内壁面に当接することを特徴とする。
【００１０】
ここで、本明細書でいう「主体部」とは、デジタルカメラ等電子機器の製品本体を装入するための収納部をいう。
【００１１】
「付属部」とは、デジタルカメラ等電子機器の各種付属部品であるアダプター、コネクター、バッテリー、ケーブル、接続ケーブル等をコンパクトに装入するための収納部をいう。
【発明の効果】
【００１２】
本発明にかかわる段ボール製の緩衝部材によれば、デジタルカメラ、或いは、デジタルビデオカメラ等電子機器等の精密機器を包装するにあたり、一枚の段ボール紙から折り上げ、かつ、精密機器を落下或いは外部からの衝撃による損傷から護る実用性に優れる緩衝部材である。詳しくは、本緩衝部材の構造では、凹んだ主体部の底面を四方の側壁から懸垂する形態になり、かつ、底面の背面を複数の脚部によって支える形態になるので、デジタルカメラ、或いは、デジタルビデオカメラ等の重量を支え、かつ、外部からの衝撃に対する緩衝性に優れる。緩衝部材は一枚の段ボール紙から折り上げられ、中央に製品本体を収納するための凹部を形成し、その周りの外箱との間の空間に付属品を収納するためのスペースを形成することができる。そのため、包装用備品の在庫管理のため一枚の段ボールのみを緩衝部材用として保管すればよいので場所をとらない。その他、異質材のパルプモールドからなる緩衝部材を必要としない。このため、包装用備品を廃棄処分する際に、外箱を含めて材質が段ボールのみの一種類なのでリターン材の材質選別が不要になる。また、段ボールのみの購入で済み、購買管理が楽になる等の優れた効果を奏するものである。
【発明を実施するための最良の形態】
【００１３】
本発明の実施の形態を、添付図面に示した本発明の実施例に基づいて以下に具体的に説明する。
【実施例１】
【００１４】
本実施例について、図１〜図８を参照しながら説明する。図１は、本実施例の段ボール包装箱の展開図で、段ボール１００Ａである。図２は、折上げ途中の主体部材２００Ａと付属部材３００Ａの斜視図である。図３は、折上げが完成した緩衝部材６００Ａの斜視図である。図４は、外箱８００Ａの中を上方から見た斜視図である。図５は、外箱８００Ａの中へ緩衝部材６００Ａを装着した状態を示す斜視図である。図６は、緩衝部材６００Ａの所定位置へ製品本体及び付属品を収納した状態を示す斜視図である。図７は、緩衝部材の一部断面図である。図８は、緩衝部材６００Ａを底面裏側から見た斜視図である。
【００１５】
図１中の点線は折り目を、実線は切れ目を示し、後述する他の実施例についても同様である。略矩形状をした段ボール１００Ａは、図１に示すように、左右位置に上下方向の折り目Ｃ、Ｅを備え、これらの折り目に挟まれた主体部材２００Ａの左右に付属部材３００Ａ、３００Ａが連設する。即ち、これらの折り目の外側が付属部材３００Ａ、３００Ａとなり、これらの折り目の内側が主体部材２００Ａとなる。ここで、主体部材２００Ａを以下に示す折り目に沿って折上げることにより、デジタルカメラ本体を装入するための収納凹部となる主体部が形成される。一方、以下に示す折り目に沿って付属部材３００Ａを折上げることにより、デジタルカメラの各種付属部品を装入するための付属部が形成され、このことは他の実施例についても同様である。段ボール１００Ａには、その他所定の複数箇所に折り目や切れ目等を設けてあるので、それらの設け方について以下に説明する。主体部材２００Ａにおける折り目Ｃ、Ｅの内側は上下及び左右対称であり、折り目Ｄ、Ｄを上下方向に断続して備える。そして、これらと直角方向に折り目Ｆ、Ｇ、Ｈ、Ｆを左右方向に平行に備え、折り目Ｇ、Ｈは左右方向に断続する。この他、上方対角線方向に折り目Ｊ、Ｊ及び下方対角線方向に折り目Ｊ、Ｊを備える。以上の折り目および切れ目によって段ボール１００Ａは各部位に仕切られる。先ず、左右両側の付属部材３００Ａの領域に付属底面１Ａ、２Ａが位置する。この内側に連設する主体部材２００Ａは、外側の外側壁３Ａ、３Ａを備え、これらの内側中央の上下に外側壁４Ａ、４Ａ及びこれらの左右に外側壁４１Ａ、４１Ａを備える。これらの上下左右の外側壁に囲まれた内側は主体部材２００Ａの内側壁及び底面が連設する。即ち、上下に内側壁５Ａ、５Ａ及び左右に内側壁６Ａ、６Ａが位置する。そして、これらの上下左右の内側壁に囲まれた内側には底面７Ａが位置する。この底面７Ａの周囲に上下の内側壁５Ａ、５Ａ及び左右の内側壁６Ａ、６Ａが位置し、夫々の側壁は脚部５１Ａ、５１Ａ、６１Ａ及び６１Ａを備える。なお、主体部材２００Ａは上下及び左右対称なので、折り目及び各部材は上下左右同じ符号とした。
【００１６】
以下に、段ボール１００Ａを折り上げる手順について説明する。略矩形状をした段ボール１００Ａを折れ目に沿って上下左右から縮めるように折り込むことによって、凹んだ主体部及びこの周りに付属部が形成される。図２に示すように、先ず、左右の外側壁１Ａ、２Ａを左右の方向Ｘ、Ｘに内側へ押すと、折り目Ｃ、Ｅ及び対角の折り目Ｊ、Ｊ、Ｊ、Ｊの折り癖が作用しあって、内側左右の内側壁３Ａ、３Ａが立ち上がる。同様に、上下の方向Ｙ、Ｙ方向の力が加わり、上下の折り目Ｆ、Ｆ及び対角の折り目Ｄ、Ｄ、Ｄ、Ｄの折り癖が作用しあって上下の内側壁５Ａ、５Ａが立ち上がる。これらの四方の外側壁が立ち上がると同時に、底面７Ａが下方へ凹むように上下の内側壁５Ａ、５Ａ及び左右の内側壁６Ａ、６Ａが立ち上がる。更に、上下の方向Ｙ、Ｙ及び左右の方向Ｘ、Ｘのように押し続けると、四方の内外側壁が底面に対して直立し、遂には図３に示すように、中央の底面７Ａを囲むように凹みが形成された緩衝部材６００Ａが完成する。そして、内側壁５Ａ、６Ａの下方は凸状に延び、夫々前後に脚部５１Ａ、左右に脚部６１Ａが形成される。その他、中央の底面７Ａを囲むように凹みの外側の四方対角に側壁４１Ａ、４１Ａ、４１Ａ、４１Ａが四隅で重なるようにして側壁を形成する。なお、図３の折り上がった緩衝部材６００Ａの状態において上下方向を前後と称し、これと直角方向を左右と称し、他の実施例についても同様である。
【００１７】
以上のようにして折り上げられた緩衝部材６００Ａを外箱８００Ａへ装着する。外箱の蓋を開いた状態を図４に示し、直方体の外箱８００Ａは夫々４枚組の底８３、側壁８２、及び蓋８１から構成される。この外箱８００Ａの中に緩衝部材６００Ａを装着した状態を図５に示す。緩衝部材６００Ａの中心部は矩形状に凹んだ主体部４００Ａが占め、主体部４００Ａの外周に緩衝部材６００Ａの外側壁と外箱８００Ａの側壁とで囲まれた付属部５００Ａが四方に形成される。即ち、例えば付属部５００Ａの一つは緩衝部材６００Ａの外側壁３Ａと付属底面２Ａ及び外箱の側壁８２、８２、８２によって囲まれるように立体空間として形成される。
【００１８】
緩衝部材は以上のように構成され、次にその作用或いは機能について図６を参照しながら説明する。外箱８００Ａの中に緩衝部材６００Ａが装着され、この緩衝部材６００Ａの中央には矩形状に凹んだ主体部４００Ａが形成され、この周囲に付属部５００Ａが４箇所形成される。図示のように、緩衝部材６００Ａの中央の凹んだ主体部４００Ａには、この凹みの大きさより一回り小さめの略直方体のデジタルカメラ９１が収納される。この主体部４００Ａの周りの付属部５００Ａには、略直方体の充電器９３を収納し、主体部４００Ａの左右の付属部５００Ａ、５００Ａには夫々束にしたコード９５、９６が収納される。残り一箇所の手前の付属部５００Ａには、図示しないがその他付属品のバッテリー、コネクター、ケーブル、メモリーカード等が収納される。なお、図６において、緩衝部材６００Ａを外箱８００Ａへ装着して状態において、上下方向を前後と称し、これと直角方向を左右と称し、他の実施例についても同様である。
【００１９】
緩衝部材６００Ａを外箱８００Ａへ装着する際に、緩衝部材６００Ａの左右端が外箱８００Ａの内壁へ当接する。詳しくは、緩衝部材の左右付属底面１Ａ、２Ａの夫々先端辺１１Ａ、２１Ａ（図３に示す）が外箱側壁８２の内壁面に当接、密着する。付属底面１Ａ、２Ａの夫々の幅寸法の割り振りは、左右の付属部５００Ａに収納される付属品の大きさによって決まり、また夫々の幅寸法は緩衝部材６００Ａが外箱８００Ａの中に納まるように決めればよい。この時、付属底面１Ａ、２Ａの先端辺１１Ａ、２１Ａは外箱８００Ａの側壁８２の内壁面に向かって突っ張るように当接するので緩衝機能を有し、外部からの衝撃に対してデジタルカメラを損傷から保護する。
【００２０】
緩衝部材６００Ａには、精密機器、ガラス部材等から構成されるデジタルカメラ本体を収納するので、落下或いは外部からの衝撃に対して製品本体を保護する機能を必要とする。図３における緩衝部材３Ａの矢視方向Ｗ―Ｗによる一部断面図を図７に示す。緩衝部材の側壁は二重構造であり、外側壁３Ａは付属底面１Ａに対して直角に立ち上がり、側壁高さの途中で内側下方へ折れ曲がって内側壁６Ａを形成する。この内側壁６Ａは更に下方へ延びて脚部６１Ａを形成し、この先端辺６２Ａは外側壁３Ａの底辺３０Ａと面一であり、付属底面２Ａ側についても同様である。同時に、前後の脚部５１Ａの先端辺５２Ａは前後の外側壁４Ａの底辺４０Ａ（後述する図８に示す）と面一になる。一方、図７に示すように内側壁６Ａは途中から内側へ直角に曲がって底面７Ａを形成する。他の三方の内側壁６Ａ、５Ａ、５Ａからも同様に途中から内側へ直角に曲がって底面７Ａを形成する。この裏面からみた底面７Ａと四方の外側壁３Ａ、４Ａとの関係及び四方の脚部５１Ａ、６１Ａ、５１Ａ、６１Ａの配置状態を図８に示す。このように、底面７Ａは内側壁６Ａの高さ途中から直角に内側へ折れ曲がるので、底面７Ａは四方の内側壁５Ａ及び６Ａによって懸垂された状態になる。そのために、底面７Ａは落下或いは外部の衝撃対する緩衝機能を有し、底面７Ａに載置されたデジタルカメラ９１を損傷から保護する。同時に、内側壁５Ａ、６Ａによる底面７Ａを上から懸垂する力及び、四方の脚部５１Ａ、６１Ａによって底面７Ａを下から支える力によって、底面７Ａの上に収納されたデジタルカメラ本体の重量を支える。
【００２１】
緩衝部材は以上のように構成され、四方の内側壁は下方へ延びて脚部が形成され、この先端は付属底面の裏面と面一になることを説明した。しかしながら、凹んだ主体部に収納されるデジタルカメラ本体等の製品の重量或いは必要とされる緩衝力の大小によって脚部の長さを調整することが可能である。つまり、脚部の先端を付属底面１Ａ、２Ａの裏面或いは、前後の外側壁４Ａの底辺４０Ａと面一まで延ばすことにより、デジタルカメラ本体等製品の最大重量に対応できる。或いは、脚部の長さを適宜短くすることによって最大の衝撃力に対応できる。
【実施例２】
【００２２】
次に、本実施例について、図９〜図１６を参照しながら説明する。図９は、本実施例に係る緩衝部材の展開図で、段ボール１００Ｂである。図１０は、折上げ途中の緩衝部材の斜視図である。図１１は、折上げが完了した緩衝部材６００Ｂの斜視図である。図１２は、外箱８００Ｂの中を上方から見た斜視図である。図１３は、外箱８００Ｂの中へ緩衝部材６００Ｂを装着した状態を示す斜視図である。図１４は、緩衝部材６００Ｂの所定位置へ製品本体及び付属品を収納した状態を示す斜視図である。図１５は、緩衝部材の一部断面図である。図１６は、緩衝部材６００Ｂを底面裏側から見た斜視図である。
【００２３】
本実施例の実施例１との主たる相違点は、主体部の収納凹部を深くして製品に厚みと高さのあるデジタルビデオカメラを収納し易くしたところにある。
【００２４】
略矩形状をした段ボール１００Ｂは、図９に示すように、中段位置に左右方向の折り目Ｋ‘、Ｋ、Ｋ‘を断続して備え、これらと平行に下方に左右方向の折り目Ｌ、Ｌ‘を断続して備え、そして、これらの折り目の上下に平行に折り目Ｍ、Ｍを備え、そしてこれらの折り目と直角方向に左右に折り目Ｎ、Ｎを備え、これらの内側に平行に折り目Ｐ、Ｑを断続して備える。この他、上方対角線方向に折り目Ｒ、Ｓ及び下方対角線方向に折り目Ｔ、Ｕを備える。これらの折り目および切れ目によって段ボール１００Ｂは各部位に仕切られる。中央に底面７Ｂが位置し、この左右両側に内側壁６Ｂ、６Ｂが連設され、更に外側に外側壁３Ｂ、３Ｂが連設される。また、底面７Ｂの上下両側に内側壁６Ｂ、５Ｂが連設され、更に外側に外側壁４Ｂ、４Ｂが連設される。また、下方の外側壁４Ｂには、下方対角線方向の折り目Ｔの先端から下方に折り目Ｖを備える。その他、左側の外側壁３Ｂ、３Ｂの上下に外側壁３１Ｂ、３３Ｂ、また、右側の外側壁３Ｂ、３Ｂの上下に外側壁３２Ｂ、３４Ｂが連設される。後述するように、これらの折り目に沿って折り上げることによって凹みを有する箱形の主体部と、この外周に付属部が形成される。実施例１と同様に、主体部にデジタルカメラの本体を収納し、付属部にバッテリー、ケーブル等各種付属部品が収納される。底面７Ｂの左右の内側壁６Ｂ、６Ｂは、夫々脚部６１Ｂ及び６１Ｂを備える。
【００２５】
以下に、段ボール１００Ｂを折り上げる手順について説明する。略矩形状をした段ボール１００Ｂを折れ目に沿って上下左右から縮めるように折り込むことによって、凹んだ主体部及びこの周りに付属部が形成される。図１０に示すように、先ず、左右の外側壁３Ｂ、３Ｂを左右の方向Ｘ、Ｘに内側へ押すと、折り目Ｎ、Ｎ及び対角の折り目Ｒ、Ｓ、Ｔ、Ｕその他折り目Ｋ‘、Ｌ’、Ｌ‘の折り癖が作用し合って、内側左右の内側壁６Ｂ、６Ｂが立ち上がる。同様に、上下の方向Ｙ、Ｙ方向の力が加わり、上下の折り目Ｍ、Ｍ及び対角の折り目Ｒ、Ｓ、Ｔ、Ｕその他折り目Ｋ‘、Ｌ’、Ｌ‘の折り癖が作用し合って、内側上下の内側壁５Ｂ、５Ｂが立ち上がる。これらの四方の外側壁が立ち上がると同時に、底面７Ｂを下方に凹ますように上下の内側壁５Ｂ、５Ｂ及び左右の内側壁６Ｂ、６Ｂが立ち上がる。更に上下の方向Ｙ、Ｙ及び左右の方向Ｘ、Ｘのように押し続けると、四方の内外側壁が底面に対して直立し、遂には図１１に示すように、中央の底面７Ｂを囲むように凹みを有する緩衝部材６００Ｂが完成する。その他、中央の底面７Ａを囲むように凹みの外側の四方対角に外側壁３１Ｂ、３２Ｂ、３３Ｂ、３４ＢＡが四隅で重なるように側壁を形成する。
【００２６】
以上のようにして折り上げられた緩衝部材６００Ｂを、図１１に示した状態のまま外箱へ装着する。外箱の蓋を開いた状態を図１２に示し、直方体の外箱８００Ｂは夫々４枚組の底８３、側壁８２、及び蓋８１、その他フラップ８４、８５から構成される。この外箱８００Ｂの中に緩衝部材６００Ｂを装着した状態を図１３に示す。緩衝部材６００Ｂの中心部は矩形状に凹んだ主体部４００Ｂが占め、主体部４００Ｂの外周に緩衝部材６００Ｂの外側壁と外箱８００Ｂの側壁とで囲まれた付属部５００Ｂが三方に形成される。即ち、例えば手前の付属部５００Ｂは緩衝部材６００Ｂの外側壁４Ｂと外箱の側壁８２、外箱の底面８３によって囲まれるように立体空間として形成される。
【００２７】
緩衝部材は以上のように構成され、次にその作用について図１４を参照しながら説明する。外箱８００Ｂの中に緩衝部材６００Ｂが装着され、この緩衝部材６００Ｂの中央には矩形状に凹んだ主体部４００Ｂが形成され、この周囲に付属部５００Ｂが４箇所形成される。図示のように、緩衝部材６００Ｂの中央の凹んだ主体部４００Ｂには、この凹みの大きさより一回り小さめの略直方体のデジタルビデオカメラ９２が収納される。この主体部４００Ｂの右外の付属部５００Ｂには、リモコン９４を収納し、主体部４００Ｂの左右の付属部５００Ｂ、５００Ｂには夫々束にしたコード９７、９８が収納される。残り一か所の手前の付属部５００Ａには、図示はしないがその他付属品のバッテリー、コネクター、ケーブル、メモリーカード等が収納される。外箱の蓋８１を閉じる際、図１２に示したフラップ８４、８５は蓋８１の裏側に位置し、フラップ８４の段差を有する広さフラップ８４のスペースが形成され、この部位に取り扱い説明書、チラシ、ソフトＣＤ等を装入する。
【００２８】
緩衝部材６００Ｂには、精密機器、ガラス部材等から構成されるデジタルビデオカメラ本体を収納するので、落下或いは外部からの衝撃に対して製品本体を保護する機能を必要とする。図１１における緩衝部材３Ｂの矢視方向Ｚ―Ｚによる一部断面図を図１５に示す。緩衝部材の側壁は二重構造であり、外側壁３Ｂが立ち上がり、側壁高さの途中で内側から下方へ折れ曲がって内側壁６Ｂを形成する。内側壁６Ｂは下方へ延びて脚部６１Ｂが形成され、この先端辺６２Ｂが外側壁３Ｂの底辺３０Ｂと面一となる。同時に、先端辺６２Ｂは前後の外側壁４Ｂの底辺４０Ｂ（後述する図１６に示す）と面一になる。この裏面から見た底面７Ｂと四方の外側壁３Ｂ、４Ｂとの関係及び左右の脚部６１Ｂ、６１Ｂの配置状態を図１６に示す。このように、底面７Ｂは内側壁６Ｂの高さ途中から直角に内側へ折れるので、底面７Ｂは左右から内側壁６Ｂによって懸垂された状態になる。そのために、底面７Ｂは落下或いは外部の衝撃に対する緩衝機能を有し、底面７Ｂに載置されたデジタルビデオカメラ９２を損傷から保護する。同時に、左右の脚部６１Ｂ、６１Ｂによって底面７Ｂを下から支える力及び、左右の内側壁６Ｂ、６Ｂによって底面７Ｂを上から懸垂する力によってデジタルカメラ本体の重量を支える。以上、本実施例では脚部６１Ｂの先端辺６２Ｂが外側壁３Ｂの底辺３０Ｂと面一となる例を説明したが、この他にデジタルカメラ本体の重量や必要な緩衝力の大きさに応じて脚部６１Ｂの長さを適宜短くしてもよい。つまり、脚部の先端を外側壁３Ｂ、４Ｂの底辺３０Ｂ、４０Ｂと面一まで延ばすことにより、デジタルカメラ本体等製品の最大重量に対応できる。或いは、脚部６１Ｂの長さを外側壁３Ｂ、４Ｂの底辺３０Ｂ、４０Ｂより５ｍｍ程度短くすることによって衝撃力を最大限に向上させることができる。
【実施例３】
【００２９】
次に、本実施例について、図１７〜図２０を参照しながら説明する。図１７は、本実施例に係る緩衝部材の展開図で、段ボール１００Ａ‘である。図１８は、折上げが完了した緩衝部材６００Ａ‘の斜視図である。図１９は、緩衝部材の一部断面図である。図２０は、緩衝部材６００Ａ‘を底面裏側から見た斜視図である。
【００３０】
本実施例の実施例１との主たる相違点は、主体部の凹んだ底面から下方へ延びる前後左右４箇所の脚部が無いところにある。以下、実施例１と相違する箇所について主に説明する。
【００３１】
略矩形状をした段ボール１００Ａ‘は、図１７に示すように、左右位置に上下方向の折り目Ｃ、Ｅを備え、これらの折り目に挟まれた主体部材２００Ａ‘の左右外側に付属部材３００Ａ’、３００Ａ‘が連設する。即ち、これらの折り目の内側が主体部材２００Ａ’となり、この外側が付属部材３００Ａ’、３００Ａ‘となる。主体部材２００Ａ‘を以下に示す折り目に沿って折上げることにより、デジタルカメラの本体を装入するための収納凹部となる主体部が形成され、一方、以下に示す折り目に沿って付属部材３００Ａ‘を折上げることにより、デジタルカメラの各種付属部品を装入するための付属部が形成される。その他段ボール１００Ａ‘には、所定の複数箇所に折り目や切れ目等を設けてあるので、それらの設け方について以下に説明する。主体部材２００Ａ‘における折り目Ｃ、Ｅの内側は上下及び左右対称であり、これらの折り目に平行な左右の折り目Ｄ、Ｄを上下方向に断続して備える。そして、これらと直角方向に折り目Ｆ、Ｇ、Ｈ、Ｆを左右方向に平行に備え、折り目Ｇ、Ｈは左右方向に断続して備える。この他、上方対角線方向に折り目Ｊ、Ｊ及び下方対角線方向に折り目Ｊ、Ｊを備える。そして、これらの折り目および切れ目によって段ボール１００Ａ‘は各部位に仕切られる。先ず、左右両側の付属部材３００Ａ’の領域に付属底面１Ａ‘、２Ａ’が位置する。この内側に連設する主体部材２００Ａ‘は上下及び左右対称で、外側から左右に外側壁３Ａ’、３Ａ‘を備え、これら外側壁の内側に上下に外側壁４Ａ’、４Ａ‘及びこれらの左右両側に外側壁４１Ａ’、４１Ａ‘を備える。これらの上下左右の外側壁に囲まれた内側は主体部材２００Ａ’の内側壁及び底面が連設する。即ち、上下に内側壁５Ａ、５Ａ及び左右に内側壁６Ａ‘、６Ａ’が位置する。そして、これらの上下左右の内側壁に囲まれた内側には底面７Ａ‘が位置する。なお、主体部材２００Ａ‘は上下及び左右対称なので、折り目及び各部材は左右同じ符号とした。
【００３２】
段ボール１００Ａ’を折り上げる手順は実施例１と同様である。折り上げられた緩衝部材６００Ａ‘を図１８に示し、この緩衝部材６００Ａ‘を実施例１と同様に外箱に装着する。この中心部を主体部が占め、この外側に緩衝部材６００Ａ’の外側壁と外箱の側壁とで囲まれた四箇所の付属部が立体空間として形成される。
【００３３】
緩衝部材は以上のように構成され、次にその作用について説明する。外箱の中に緩衝部材６００Ａ‘が装着され、この緩衝部材６００Ａ’の中央には矩形状に凹んだ主体部が形成され、この周囲に付属部が４箇所形成される。緩衝部材６００Ａ‘の中央の凹んだ主体部には、デジタルカメラが収納される。また、この主体部の四方の側壁と外箱の四方の側壁によって囲まれた夫々の空間には、充電器、コード類の他付属品のバッテリー、コネクター、ケーブル、メモリーカード等が収納される。
【００３４】
緩衝部材６００Ａ‘には、精密機器、ガラス部材等から構成されるデジタルカメラ本体を収納するので、落下或いは外部からの衝撃に対して製品本体を保護する機能を必要とする。図１８における緩衝部材６００Ａ’の矢視方向Ｗ―Ｗによる一部断面図を図１９に示す。緩衝部材６００Ａ‘の側壁は二重構造であり、外側壁３Ａ’が付属底面１Ａ‘に対して直角に立ち上がり、側壁高さの途中で内側下方へ折れ曲がって内側壁６Ａ‘を形成し、更に途中から内側へ直角に折れ曲がって底面７Ａ’を形成する。他の三方の内側壁６Ａ‘、５Ａ’、５Ａ‘からも同様に途中から内側へ直角に折れ曲がって底面７Ａ’を形成する。この裏面から見た底面７Ａ‘と四方の外側壁３Ａ’、４Ａ‘との関係を図２０に示す。このように、底面７Ａ’は内側壁６Ａ‘の高さ途中から直角に内側へ折れ曲がるので、底面７Ａ’は四方の内側壁、５Ａ‘及び６Ａ‘によって懸垂された状態に形成される。そのために、底面７Ａ’は落下或いは外部の衝撃に対する緩衝機能を有し、底面７Ａ‘に載置されたデジタルカメラを損傷から保護する。同時に、四方の内側壁５Ａ’、６Ａ‘よって底面７Ａ’を上から懸垂する力によってデジタルカメラ本体の重量を支える。
【実施例４】
【００３５】
次に、本実施例について、図２１〜図２４を参照しながら説明する。図２１は、本実施例に係る緩衝部材の展開図で、段ボール１００Ｂ‘である。図２２は、折上げが完了した緩衝部材６００Ｂ‘の斜視図である。図２３は、緩衝部材の一部断面図である。図２４は、緩衝部材６００Ｂ‘を底面裏側から見た斜視図である。
【００３６】
本実施例の実施例２との主たる相違点は、主体部の凹んだ底面から下方へ延びる左右２箇所の脚部が無いところにある。以下、実施例２と相違する箇所について主に説明する。
【００３７】
略矩形状をした段ボール１００Ｂ‘は、図２１に示すように、中段位置に左右方向の折り目Ｋ‘、Ｋ、Ｋ‘を断続して備え、これらと平行に下方に左右方向の折り目Ｌ、Ｌ‘を断続して備え、そして、これらの折り目の上下外側に平行に折り目Ｍ、Ｍを備え、そしてこれらの折り目と直角方向に左右に折り目Ｐ、Ｑを断続して備える。この他、上方対角線方向に折り目Ｒ、Ｓ及び下方対角線方向に折り目Ｔ、Ｕを備える。これらの折り目および切れ目によって段ボール１００Ｂ’は各部位に仕切られる。中央に底面７Ｂ’が位置し、この左右両側に内側壁６Ｂ‘、６Ｂ’が連設され、更に外側に外側壁３Ｂ’、３Ｂ‘が連設される。また、底面７Ｂ’の上下両側に内側壁６Ｂ‘、５Ｂ’が連設され、更に外側に外側壁４Ｂ‘、４Ｂ’が連設される。また、下方の外側壁４Ｂ’には、下方対角線方向の折り目Ｔの先端から下方に折り目Ｖを備える。その他、左側の外側壁３Ｂ‘、３Ｂ’の上下に外側壁３１Ｂ‘、３３Ｂ’、また、右側の外側壁３Ｂ‘、３Ｂ’の上下に外側壁３２Ｂ‘、３４Ｂ’が連設される。
【００３８】
段ボール１００Ｂ’を折り上げる手順は実施例２と同様である。折り上げられた緩衝部材６００Ｂ‘を図２２に示し、中央を矩形状に凹んだ主体部が占める。この緩衝部材６００Ｂ‘を実施例２と同様に外箱に装着し、中央の主体部の外側に緩衝部材６００Ｂ’の外側壁と外箱の側壁とで囲まれた三箇所の付属部が立体空間として形成される。
【００３９】
緩衝部材は以上のように構成され、次にその作用について説明する。外箱の中に緩衝部材６００Ｂ‘が装着され、この緩衝部材６００Ｂ’の中央に矩形状に凹んだ主体部が形成され、この周囲に付属部が３箇所形成される。緩衝部材６００Ｂ‘の中央の主体部には、デジタルカメラが収納される。また、この主体部の四方の側壁と外箱の四方の側壁によって囲まれた夫々の空間には、充電器、コード類の他付属品のバッテリー、コネクター、ケーブル、メモリーカード等が収納される。
【００４０】
緩衝部材６００Ｂ‘には、精密機器、ガラス部材等から構成されるデジタルカメラ本体を収納するので、落下或いは外部からの衝撃に対して製品本体を保護する機能を必要とする。図２２における緩衝部材６００Ｂ’の矢視方向Ｚ―Ｚによる一部断面図を図２３に示す。緩衝部材６００Ｂ‘の側壁は二重構造であり、外側壁３Ｂ’が高さの途中で内側下方へ折れ曲がって内側壁６Ｂ‘を形成し、更に途中から内側へ直角に折れ曲がって底面７Ｂ’を形成する。他の三方の内側壁６Ｂ‘、５Ｂ’、５Ｂ‘からも同様に途中から内側へ直角に折れ曲がって底面７Ｂ’を形成する。この裏面から見た底面７Ｂ‘と四方の外側壁３Ｂ’、４Ｂ‘との関係を図２４に示す。このように、底面７Ｂ’は内側壁６Ｂ‘の高さ途中から直角に内側へ折れ曲がるので、底面７Ｂ’は四方から内側壁６Ｂ‘によって懸垂された状態になる。そのために、底面７Ｂ’は落下或いは外部の衝撃に対する緩衝機能を有し、底面７Ｂ‘に載置されたデジタルカメラを損傷から保護する。同時に、四方の内側壁５Ｂ’、６Ｂ‘よって底面７Ｂ’を上から懸垂する力によってデジタルカメラ本体の重量を支える。
【産業上の利用可能性】
【００４１】
各実施例では、デジタルカメラ或いはこれより大きめのデジタルビデオカメラを製品箱に包装する緩衝部材について説明した。しかし、必ずしも、デジタルカメラに限定するものではない。外部からの衝撃に対して弱いガラス部品を内蔵する光学カメラや精密部品を内蔵する電気、電子機器を包装或いは梱包するために、本発明の緩衝部材使用することも充分可能である。
【図面の簡単な説明】
【００４２】
【図１】本発明の実施例１に係る緩衝部材の展開図で、段ボール１００Ａである。
【図２】同上、折上げ途中の主体部材２００Ａと付属部材３００Ａの斜視図である。
【図３】同上、折上げが完成した緩衝部材６００Ａの斜視図である。
【図４】同上、外箱８００Ａの中を上方から見た斜視図である。
【図５】同上、外箱８００Ａの中へ緩衝部材６００Ａを装着した状態を示す斜視図である。
【図６】同上、緩衝部材６００Ａの所定位置へ製品本体及び付属品を収納した状態を示す斜視図である。
【図７】同上、緩衝部材の一部断面図である。
【図８】同上、緩衝部材６００Ａを底面裏側から見た斜視図である。
【図９】本発明の実施例２に係る緩衝部材の展開図で、段ボール１００Ｂである。
【図１０】同上、折上げ途中の緩衝部材の斜視図である。
【図１１】同上、折上げが完了した緩衝部材６００Ｂの斜視図である。
【図１２】同上、外箱８００Ｂの中を上方から見た斜視図である。
【図１３】同上、外箱８００Ｂの中へ緩衝部材６００Ｂを装着した状態を示す斜視図である。
【図１４】同上、緩衝部材６００Ｂの所定位置へ製品本体及び付属品を収納した状態を示す斜視図である。
【図１５】同上、緩衝部材の一部断面図である。
【図１６】同上、緩衝部材６００Ｂを底面裏側から見た斜視図である。
【図１７】本発明の実施例３に係る緩衝部材の展開図で、段ボール１００Ａ‘である。
【図１８】同上、折上げが完了した緩衝部材の斜視図である。
【図１９】同上、緩衝部材の一部断面図である。
【図２０】同上、緩衝部材６００Ａ‘を底面裏側から見た斜視図である。
【図２１】本発明の実施例４に係る緩衝部材の展開図で、段ボール１００Ｂ‘である。
【図２２】同上、折上げが完了した緩衝部材６００Ｂ‘の斜視図である。
【図２３】同上、緩衝部材の一部断面図である。
【図２４】同上、緩衝部材６００Ｂ‘を底面裏側から見た斜視図である。
【図２５】従来例に係り、デジタルカメラを収納する緩衝部材を装着した外箱の内部を示す。
【図２６】同上、デジタルビデオカメラを収納する緩衝部材の斜視図である。
【図２７】同上、緩衝部材の底面を裏側から見た状態を示す。
【符号の説明】
【００４３】
１００Ａ、Ａ‘〜１００Ｂ、Ｂ‘（１００）  段ボール
２００Ａ、Ａ‘〜２００Ｂ、Ｂ‘（２００）  主体部材
３００Ａ、Ａ‘（３００）  付属部材
４００Ａ〜４００Ｂ（４００）、４０１  主体部
５００Ａ〜５００Ｂ（５００）、５０１  付属部
６００Ａ、Ａ‘〜６００Ｂ、Ｂ‘（６００）、６０１、６０２  緩衝部材
８００Ａ〜８００Ｂ（８００）、８０１  外箱
８１  蓋
８２  側壁
８３  底
８４  フラップ
８５  サブフラップ
８６  サブフラップ
９１  デジタルカメラ
９２  デジタルビデオカメラ
９３  充電器
９４  リモコン
９５、９６、９７、９８  ケーブル
１Ａ、２Ａ  付属底面  
１１Ａ、２１Ａ  先端辺
３Ａ、４Ａ、３Ｂ、４Ｂ、３１Ｂ、３２Ｂ、３３Ｂ、３４Ｂ、４１Ａ  外側壁
３０Ａ、４０Ａ、３０Ｂ、４０Ｂ  底辺
５Ａ、６Ａ、５Ｂ、６Ｂ  内側壁
５１Ａ、６１Ａ、６１Ｂ、７０１  脚部
５２Ａ、６２Ａ、６２Ｂ  先端辺
７Ａ、７Ｂ  底面
Ｃ、Ｄ、Ｅ、Ｆ、Ｇ、Ｈ、Ｊ、Ｋ、Ｌ、Ｍ、Ｎ、Ｐ、Ｑ、Ｒ、Ｓ、Ｔ、Ｕ、Ｋ’、Ｌ‘  、Ｖ  折り目
Ｘ、Ｙ  方向
Ｗ、Ｚ  矢視方向
【図１】
2010095260.tif 000003
【図２】
2010095260.tif 000004
【図３】
2010095260.tif 000005
【図４】
2010095260.tif 000006
【図５】
2010095260.tif 000007
【図６】
2010095260.tif 000008
【図７】
2010095260.tif 000009
【図８】
2010095260.tif 000010
【図９】
2010095260.tif 000011
【図１０】
2010095260.tif 000012
【図１１】
2010095260.tif 000013
【図１２】
2010095260.tif 000014
【図１３】
2010095260.tif 000015
【図１４】
2010095260.tif 000016
【図１５】
2010095260.tif 000017
【図１６】
2010095260.tif 000018
【図１７】
2010095260.tif 000019
【図１８】
2010095260.tif 000020
【図１９】
2010095260.tif 000021
【図２０】
2010095260.tif 000022
【図２１】
2010095260.tif 000023
【図２２】
2010095260.tif 000024
【図２３】
2010095260.tif 000025
【図２４】
2010095260.tif 000026
【図２５】
2010095260.tif 000027
【図２６】
2010095260.tif 000028
【図２７】
2010095260.tif 000029